(57)【要約】【課題】回転操作部１１を少ない角度で回転させた場合でも、筆記体８が大きく前進して筆記可能な状態となる繰出式筆記具１を得る。【解決手段】軸筒２に装着した回転操作部１１が回転されることにより軸筒２の前方部から筆記体８の筆記先端部８ｂが突出される繰出式筆記具１であって、回転操作部１１が回転された際、変換機構Ｈ（雌螺子部４ｂ，雄螺子部１３ｂ）によりカム体１５が前進すると共に、カム体１５が回転することで摺動体１６が前進して軸筒２の前方から筆記体８の筆記先端部８ｂが突出される繰出式筆記具１。【選択図】図２
2020104391.tif 000002
【特許請求の範囲】
【請求項１】
軸筒に装着した回転操作部が回転されることにより該軸筒の前方部から筆記体の筆記先端部が突出される繰出式筆記具であって、
前記回転操作部の内方に該回転操作部の内部を前後動する内軸を配し、
前記内軸と前記軸筒との間に、該内軸の回転方向への動きを当該内軸の前後方向への動きに変換する変換機構が設けられ、
前記内軸の前方に螺旋状のカム溝を有するカム体が該内軸に対して回転不能に配置され、
前記カム体の内方に、該カム体のカム溝と前記軸筒に設けられた軸芯に沿った方向に延びるスリットとに係合するカム突起を有した摺動体が収容され、
前記摺動体の前方に前記筆記体が連設され、
前記回転操作部が回転された際、前記変換機構によりカム体が前進すると共に、カム体が回転することで前記摺動体が前進して軸筒の前方から筆記体の筆記先端部が突出される、
ことを特徴とする繰出式筆記具。
【請求項２】
前記変換機構が、前記内軸に設けられた雄螺子部と、前記軸筒に設けられた雌螺子部とで構成され、
前記内軸の外面に突部が設けられ、
前記回転操作部に前記内軸の突部と係合して該内軸の回転を規制すると共に当該内軸の前後動を誘導する縦溝が設けられ、
前記回転操作部を回転した際、
前記内軸が回転して該内軸の雄螺子部が前記軸筒の雌螺子部の内部を前進し、
前記カム筒が前記内軸の回転に伴い回転することで、
前記摺動体のカム突起が前記スリットで回転が規制された状態で前記カム溝により前進され、
前記摺動体に連設された筆記体が前進して前記軸筒の前方部から筆記体の筆記先端部が突出される、
ことを特徴とする請求項１に記載の繰出式筆記具。
【請求項３】
前記筆記体が前記軸筒内に配設されたコイルスプリングにより後方へ弾発され、前記軸筒の前方部から前記筆記体の筆記先端部が突出された状態で前記回転操作部を逆回転させることにより、前記コイルスプリングの弾発力で前記筆記先端部が後退して軸筒内に没入される、
ことを特徴とする請求項１又は２に記載の繰出式筆記具。
【発明の詳細な説明】
【技術分野】
【０００１】
本発明は、軸筒に装着された回転操作部を回転させることにより、軸筒の前方部から筆記体の筆記先端部が突出する繰出式筆記具に関する。
【背景技術】
【０００２】
軸筒内に筆記体を前後動可能に収容した筆記具であって、回転操作部を回転することによって軸筒の前方部から筆記体の筆記先端部が突出する繰出式筆記具は、従来から種々のものが知られている。例えば、本件出願人による特許文献１（特開２００７−３２０２０９）は、そのような繰出式筆記具の一例を詳細に開示している。
【０００３】
図５は、特許文献１に開示された繰出式筆記具の断面図である。この繰出式筆記具は、万年筆１０１であり、軸筒本体１０２の後方部に尾冠１０３が配設されていて、両者が軸筒１０４を形成している。軸筒本体１０２は、雄螺子部１０５ａと雌螺子部１０６ａとが螺合することで結合された前方内筒１０５と後方内筒１０６とに、前軸部材１０７と後軸部材１０８とがそれぞれ被着されることで、構成されている。
【０００４】
軸筒本体１０２の前方内筒１０５の前方部には、さらに中空パイプ１０９が装着されており、中空パイプ１０９の前方部には、さらにゴム材で形成された弾性先首１１０を装着されている。そして、弾性先首１１０の傾斜前端面１１０ａに、捻りコイルバネ１１１の弾発力によって閉塞するようになっている蓋体１１２が、配設されている。
【０００５】
捻りコイルバネ１１１のコイル部１１１ａは、中空パイプ１０９に固着された軸棒１１３によって挿通されており、当該軸棒１１３は、蓋体１１２の下端においてコイル部１１１ａの両側を挟むように配置された巻返部１１２ａをも挿通している。これにより、蓋体１１２が軸棒１１３を支点として開閉可能となっている。
【０００６】
また、蓋体１１２の上方を曲折してなる係止部１１２ｂに、捻りコイルバネ１１１の前端側に形成された返し部１１１ｂが係止され、中空パイプ１０９の側面に、捻りコイルバネ１１１の後方アーム部１１１ｃが当接されている。これにより、捻りコイルバネ１１１が常に蓋体１１２を弾性先首１１０側に弾発するようになっている。
【０００７】
そして、軸筒本体１０２の内部に、万年筆構造である筆記体１１４が配設されている。筆記体１１４は、筆記体本体１１４ａの前方に筆記先端部１１４ｂとしてのペン体を有しており、筆記体本体１１４ａの後方に万年筆用インキを収容したインキカートリッジ１１４ｃを有している。
【０００８】
また、筆記体本体１１４ａの中間部に形成された段部１１４ｄと、中空パイプ１０９の後端部１０９ａとの間に、コイルスプリング１１５が配設されている。コイルスプリング１１５は、筆記体１１４を常時後方へ弾発する機能を有している。また、筆記体本体１１４ａに設けられたガイド突起１１４ｅが、前方内筒１０５の内面に形成されたスライド溝１０５ｂへ遊嵌している。これにより、筆記体１１４は、回転することなく前後移動できるようになっている。
【０００９】
また、後方内筒１０６の後端に形成された雄螺子部１０６ｂには、円筒状の尾冠内筒１１６の雌螺子部１１６ａが螺合されている。
【００１０】
尾冠内筒１１６の内部には、螺旋状のカム溝１１７ａを有するカム筒１１７が配設されている。また、カム筒１１７の雄螺子部１１７ｂが尾冠１０３の雌螺子部１０３ａに螺合されていることにより、カム筒１１７は尾冠１０３と一体回転可能となっている。
【００１１】
カム筒１１７の内部には、押圧体１１８が配設されている。押圧体１１８の側面には、突起するピン頭部のような形状のカム突起１１８ａが突設されている。カム突起１１８ａは、カム溝１１７ａに遊嵌すると共に、尾冠内筒１１６の長手方向に形成されたスリット１１６ｂにも遊嵌している。図９の例では、カム溝１１７ａ及びスリット１１６ｂは、軸対称に二つずつ設けられており、カム突起１１８ａもそれらに対応して二カ所に設けられている。
【００１２】
押圧体１１８の前端部には、径を大きくされたフランジ１１８ｂが設けられており、当該フランジ１１８ｂに筆記体１１４のインキカートリッジ１１４ｃの後端を当接させている。コイルスプリング１１５は、筆記体１１４を介して押圧体１１８を常時後方へ弾発しており、フランジ１１８ｂの後部に装着されたゴム製のＯリング１１９を、後方内筒１０６の内面に形成された鍔部１０６ｃへと当接させている。したがって、図９に示すように、筆記先端部１１４ｂが軸筒本体１０２内に没入した状態では、軸筒本体１０２の前方部は蓋体１１２が弾性先首１１０に当接することで気密性を確保し、軸筒本体１０２の後方部はＯリング１１９が鍔部１０６ｃに当接することによって気密性を確保し、結果的に軸筒本体１０２の内部が密閉されている。
【００１３】
次に、図６は、筆記先端部１１４ｂを軸筒本体１０２から突出させた状態を示す図である。
【００１４】
尾冠１０３が右方向（図中矢印方向）に回転されると、カム筒１１７も一体に右へ回転され、カム筒１１７のカム溝１１７ａに遊嵌しているカム突起１１８ａにも右へ回転する力が働く。ここで、カム突起１１８ａは尾冠内筒１１６のスリット１１６ｂにも遊嵌しているため、右へ回転することはできず、当該スリット１１６ｂをガイドとしながら螺旋状のカム溝１１７ａの前方へと移動していく。
【００１５】
これに伴って、押圧体１１８がカム突起１１８ａと共に前方へ移動していき、押圧体１１８に当接している筆記体１１４がコイルスプリング１１５を圧縮しながら前進していく。そして、筆記先端部１１４ｂが蓋体１１２を開放し、前軸部材１０７の先端部に形成された先端開口部１０７ａから筆記先端部１１４ｂが突出する。
【００１６】
筆記先端部１１４ｂが先端開口部１０７ａから突出した際には、押圧体１１８のカム突起１１８ａがカム溝１１７ａに連設された保持溝１１７ｃへ係止される。これにより、筆記先端部１１４ｂの突出状態が維持される。保持溝１１７ｃは、螺旋状のカム溝１１７ａの先端部からカム筒１１７の軸方向に少し戻るように形成されて、コイルスプリング１１５によってカム突起１１８ａが保持溝１１７ｃの後側に弾発される際に引っ掛かりが生じるようにしたものである。
【００１７】
図６に示す状態から尾冠１０３が逆方向（左方向）に回転されると、押圧体１１８のカム突起１１８ａがカム筒１１７の保持溝１１７ｃから解除され、コイルスプリング１１５の弾発力によってカム突起１１８ａは、前進時とは逆方向の力を受け、カム溝１１７ａに逆回転力を掛けながら、当該カム溝１１７ａを後退していく。押圧体１１８の後退により、コイルスプリング１１５に弾発された筆記体１１４も後退する。この後退時に筆記体１１４が受ける衝撃は、押圧体１１８に装着されたＯリング１１９が後方内軸１０６の鍔部１０６ｃに当接することにより、緩和されている。
【先行技術文献】
【特許文献】
【００１８】
【特許文献１】特開２００７−３２０２０９号公報
【発明の概要】
【発明が解決しようとする課題】
【００１９】
前述の特許文献１（特開２００７−３２０２０９）に基づく繰出式筆記具は、非常に優れた性能を有しており、実際に製品化されて幅広い利用者層に満足して頂いている。
【００２０】
このような回転操作による繰出式筆記具は、回転操作部を少ない角度で回転させた場合においても、筆記体が大きく前進して筆記先端部が筆記可能な状態となる、操作性が優れたものが求められている。これは特に万年筆のペン体など、軸筒の前方部から筆記先端部を大きく突出させることでペン体のしなりを利用して筆記を行う必要がある筆記具において特に有効な構造となる。
なお、少ない回転量で筆記先端部が突出するものとは、筆記具の軸径を鑑みると、軸筒に対して回転操作部を相対的に約３６０度の範囲、つまり最大でもおよそ一回転させることで筆記先端部が軸筒から突出して筆記可能状態になるものをいう。この範囲内の回転量で筆記先端部が突出した状態に維持できる構造とすることにより、筆記具を握り替えるような動作を必要とせずに、回転操作を完了することができる。
【００２１】
本発明では、回転操作部を少ない角度で回転させた場合でも、筆記体が大きく前進して筆記可能な状態となる繰出式筆記具を得ることを目的とする。
【課題を解決するための手段】
【００２２】
本発明は、
「１．軸筒に装着した回転操作部が回転されることにより該軸筒の前方部から筆記体の筆記先端部が突出される繰出式筆記具であって、
前記回転操作部の内方に該回転操作部の内部を前後動する内軸を配し、
前記内軸と前記軸筒との間に、該内軸の回転方向への動きを当該内軸の前後方向への動きに変換する変換機構が設けられ、
前記内軸の前方に螺旋状のカム溝を有するカム体が該内軸に対して回転不能に配置され、
前記カム体の内方に、該カム体のカム溝と前記軸筒に設けられた軸芯に沿った方向に延びるスリットとに係合するカム突起を有した摺動体が収容され、
前記摺動体の前方に前記筆記体が連設され、
前記回転操作部が回転された際、前記変換機構によりカム体が前進すると共に、カム体が回転することで前記摺動体が前進して軸筒の前方から筆記体の筆記先端部が突出される、
ことを特徴とする繰出式筆記具。
２．前記変換機構が、前記内軸に設けられた雄螺子部と、前記軸筒に設けられた雌螺子部とで構成され、
前記内軸の外面に突部が設けられ、
前記回転操作部に前記内軸の突部と係合して該内軸の回転を規制すると共に当該内軸の前後動を誘導する縦溝が設けられ、
前記回転操作部を回転した際、
前記内軸が回転して該内軸の雄螺子部が前記軸筒の雌螺子部の内部を前進し、
前記カム筒が前記内軸の回転に伴い回転することで、
前記摺動体のカム突起が前記スリットで回転が規制された状態で前記カム溝により前進され、
前記摺動体に連設された筆記体が前進して前記軸筒の前方部から筆記体の筆記先端部が突出される、
ことを特徴とする前記１項に記載の繰出式筆記具。
３．前記筆記体が前記軸筒内に配設されたコイルスプリングにより後方へ弾発され、前記軸筒の前方部から前記筆記体の筆記先端部が突出された状態で前記回転操作部を逆回転させることにより、前記コイルスプリングの弾発力で前記筆記先端部が後退して軸筒内に没入される、
ことを特徴とする前記１項又は２項に記載の繰出式筆記具」である。
【００２３】
本発明によれば回転操作部が回転されることで、変換機構により内軸と一体になったカム体が前進し、カム体が前進することでカム溝にカム突起が係合された摺動体が前進し、内軸の回転に伴うカム体の回転により、螺旋状のカム溝にカム突起を摺動させながら摺動体が前進することで、回転操作部が少ない角度で回転された場合でも、筆記体の筆記先端部を軸筒の前方部から突出させることが可能となる。
【００２４】
さらに、前記変換機構を、内軸の雄螺子部と軸筒の雌螺子部とで構成することにより、内軸の回転動作が確実に軸方向への前後動作に変換されるので、結果、カム体の大きさやカム溝の角度など、回転操作部の操作性に関与するものが変換機構に規制されることなく、自由度を高く設定することが可能となる。
【００２５】
またさらに、筆記体をコイルスプリングで後方へ弾発することで、軸筒から筆記先端部が突出した筆記体を自動で後退させることができるようになる。
【図面の簡単な説明】
【００２６】
【図１】本実施形態の繰出式筆記具の断面図で、軸筒内に筆記先端部が没入した状態を示す図である。
【図２】本実施形態の要部における拡大断面図である。
【図３】本実施形態の要部における分解図である。
【図４】本実施形態の繰出式筆記具の断面図で、軸筒から筆記先端部が突出した状態を示す図である。
【図５】従来の繰出式筆記具の断面図で、軸筒内に筆記先端部が没入した状態を示す図である。
【図６】図５の繰出式筆記具の断面図で、軸筒から筆記先端部が突出した状態を示す図である。
【発明を実施するための形態】
【００２７】
次に、図面を参照しながら説明を行うが、本発明は以下の実施例に限定されるものではない。
以下、図面を参照して本実施形態の万年筆について説明をする。本実施例においては、筆記先端部がある方を前方と表現し、その反対側を後方と表現する。説明を分かり易くするために、図面中の同様の部材、同様の部分については同じ符号を付してある。
【００２８】
図１は、本実施形態の繰出式筆記具の断面図で、軸筒内に筆記先端部が没入した状態を示す図である。図２は、本実施形態の要部における拡大断面図である。図３は、本実施形態の要部における分解図である。図４は、本実施形態の繰出式筆記具の断面図で、軸筒内に筆記先端部が突出した状態を示す図である。
【００２９】
図１に示すように、この繰出式筆記具は、万年筆１であり、軸筒２として、前方軸筒３及び後方軸筒４とが螺合することで結合され構成してある。
前方軸筒３の前方部には、捻りコイルバネ５の弾発力によって閉塞するようになっている蓋体６が配設されている。捻りコイルバネ５のコイル部は、軸棒７によって挿通されており、蓋体６は当該軸棒７を支点として開閉可能となっている。また、捻りコイルバネ５は、蓋体６を常に前方軸筒３に形成された段部３ａに当接させ閉塞状態に付勢するようになっている。
【００３０】
前方軸筒３の内部に、万年筆構造である筆記体８が配設されている。筆記体８は、筆記体本体８ａの前方に筆記先端部８ｂを有しており、筆記体本体８ａの後方に万年筆用インキを収容したインキカートリッジ８ｃを有している。
また、筆記体本体８ａの中間部に形成された段部８ｄと前方軸筒３の前記段部３ａとの間に、コイルスプリング９が配設されている。コイルスプリング９は、筆記体８を常時後方へ弾発する機能を有している。また、筆記体本体８ａに設けられたガイド突起８ｅが、前方軸筒３の内面に形成されたスライド溝３ｂへ遊嵌されている。これにより、筆記体８は、回転することなく前後動できるようになっている。
前方軸筒３の前端部には、筆記先端部８ｂを出没可能にする先端開口１０ａを有する先口１０が嵌着されている。
【００３１】
図１〜図３に示すように、後方軸筒４の後端部には回転操作部である円筒状の回転操作体１１が装着されており、尾冠１２にて抜け止め状態で装着されている。
回転操作体１１の前端部には外鍔１１ａが形成されており、後方軸筒４に螺合した尾冠１２に形成された内鍔１２ａにて回転操作体１１が回転可能且つ前後動不能に固定される。後方軸筒４の雄螺子部４ａは、接着剤を塗布した上で尾冠１２の雌螺子部１２ｂに螺合することで固着される。
【００３２】
回転操作体１１の内方には内軸１３が配設されており、内軸１３の後端部外面に形成された突部１３ａを、回転操作体１１に収容した内筒１４の内面に形成された縦溝１４ａに係合させ、回転操作部１１に対する内軸１３の回転を規制すると共に、内軸１３の前後動が誘導されるようにしてある。内筒１４の雄螺子部１４ｂは、接着剤を塗布した上で回転操作体１１の雌螺子部１１ｂに螺合することで固着される。
【００３３】
内軸１３の中央部外面には雄螺子部１３ｂが形成されており、後方軸筒４の後端部内面に形成された雌螺子部４ｂに回動可能に螺合するようになっている。本実施形態では、内軸１３の雄螺子部１３ｂと後方軸筒４の雌螺子部４ｂとで、内軸１３の回転方向への動きを当該内軸１３の前後方向への動きに変換する変換機構Ｈを構成する。
【００３４】
内軸１３の前方には螺旋状のカム溝１５ａを有する筒状のカム体１５が該内軸１３に対して回転不能に装着されている。
カム体１５の後方には小径部１５ｂが形成されており、小径部１５ｂに接着剤を塗布した上で内軸１３の内方に挿着させ、内軸１３の内面に形成した円環状の凹部１３ｃに小径部１５ｂの外面に形成された円環状の凸部１５ｃを嵌合させている。これによりカム体１５は、内軸１３に対して一体で回動及び前後動するようになっている。
【００３５】
カム体１５の内方には円板状の摺動体１６が収容されており、摺動体１６に形成された貫通孔１６ａに対して、摺動体１６から両端が突出するようピン１７を嵌着させることで、摺動体１６にカム突起１７ａを設けてある。カム突起１７ａは、カム体１５のカム溝１５ａと、後方軸筒４の内面に軸芯に沿って形成されたスリット４ｃとに係合する。
摺動体１６の前方には、コイルスプリング９で常時後方へ弾発されている筆記体８の後端部が当接される。
【００３６】
次に、図２及び図４を用いて、万年筆１の操作方法について説明を行う。
本実施形態の万年筆１は、後方軸筒４に対し回転操作体１１が後方から見て時計回りに相対回転されると、次のようにして先口１０の先端開口１０ａから筆記体８の筆記先端部８ｂが突出される。すなわち、後方軸筒４に対し回転操作体１１が後方から見て時計回りに相対回転すると、回転操作体１１の縦溝１４ａに突部１３ａが係合された内軸１３が同方向に回転し、内軸１３の雄螺子部１３ｂが後方軸筒４の雌螺子部４ｂに対して回転することで前進し、これにより内軸１３と一体になったカム体１５が前進する。
また、カム体１５が前進することで、カム溝１５ａにカム突起１７ａが係合された摺動体１６が前進することとなり、結果、摺動体１６に当接した筆記体８がコイルスプリング９の弾発力に抗して前進する。
このとき、同時に、内軸１３の回転に伴うカム体１５の回転により、螺旋状のカム溝１５ａにカム突起１７ａを摺動させながら、スリット４ｃにカム突起１７ｄが係合していることで回転することなく摺動体１６が前進することとなり、結果、摺動体１６に当接した筆記体８がコイルスプリング９の弾発力に抗して前進する。
したがって、本実施形態の万年筆１は、回転操作体１１が後方から見て時計回りに相対回転されると、変換機構Ｈである内軸１３の雄螺子部１３ｂと後方軸筒４の雌螺子部４ｂにより摺動体１６が前進されると共に、カム体１５の螺旋状のカム溝１５ａにより摺動体１６が前進されることから、回転操作体１１を少ない角度で回転させた場合でも、軸筒２の先端開口１０ａから筆記先端部８ｂを大きく突出させることができる。
これにより、筆記先端部８ｂにサイズが大きいペン体を使用することが可能となる。
【００３７】
また、本実施形態の万年筆１は、回転操作体１１が後方から見て時計回りに３６０度回転することで、軸筒２の先端開口１０ａから筆記先端部８ｂが突出し、筆記先端部８ｂの突出状態が維持されて筆記可能状態になるようにしてあるため、軸筒２を握り替えるような動作を必要とせずに回転操作を完了することができることから操作性に優れいる。
また前述の通り、筆記体８がコイルスプリング９の弾発力に抗して前進することから、軸筒２に対して回転操作体１１を相対的に３６０度の範囲、つまり最大でも一回転させる前に止めてしまった場合には、筆記体８が再びコイルスプリング９の弾発力で後退してしまう誤作動が生じるが、本実施形態の万年筆１は軸筒２を握り替えることなく回転操作を完了できることから、その誤作動が生じ難くなっている。
【００３８】
さらに、変換機構Ｈを、内軸１３の雄螺子部１３ｂと後方軸筒４の雌螺子部４ｂとで構成したことにより、内軸１３の回転動作が確実に軸方向への前後動作に変換されるので、結果、カム体１５の大きさやカム溝１５ａの角度など、回転操作体１１の操作性に関与するものが変換機構Ｈに規制されることなく、自由度を高く設定することが可能である。
【００３９】
またさらに、筆記体８をコイルスプリング９で後方へ弾発することから、軸筒２の先端開口部１０ａから筆記先端部８ｂが突出した筆記体８を自動で後退させることができるようになる。すなわち、筆記先端部８ｂが突出した状態では、カム溝１５ａの前端に形成された後方への折返部１５ｄに摺動体１６のカム突起１７ａが係止することで、筆記先端部８ｂが突出された状態が維持され、筆記可能な状態となり、この状態から、回転操作体１１が後方から見て反時計回りに少しだけ相対回転されると、カム突起１７ａが折返部１５ｄから外れ、コイルスプリング９の弾発力により筆記体８が後退されると共に、カム突起１７ａがカム溝１５ａを摺動しながら摺動体１６が後退し、後方軸筒４の雌螺子部４ｂに対して内軸１３の雄螺子部１３ｂが逆回転しながら、筆記先端部８ｂが軸筒２の先端開口部１０ａへ没入される。
【００４０】
なお、本実施形態の変換機構Ｈを構成する雄螺子部１３ｂと雌螺子部４ｂは、四条螺子としてあり、回転操作体１１を回転操作して内軸１３が一回転で前進する距離が一条螺子の四倍となる。つまり、少量回転した場合にも筆記体８をより大きく前進させることが可能となる。
【符号の説明】
【００４１】
１…万年筆、
２…軸筒、
３…前方軸筒、３ａ…段部、３ｂ…スライド溝、
４…後方軸筒、４ａ…雄螺子部、４ｂ…雌螺子部、４ｃ…スリット、
Ｈ…変換機構、
５…捻りコイルバネ、
６…蓋体、
７…軸棒、
８…筆記体、８ａ…筆記体本体、８ｂ…筆記先端部、８ｃ…インキカートリッジ、８ｄ…段部、８ｅ…ガイド突起、
９…コイルスプリング、
１０…先口、１０ａ…先端開口、
１１…回転操作体、１１ａ…外鍔、１１ｂ…雌螺子部、
１２…尾冠、１２ａ…内鍔、１２ｂ…雌螺子部、
１３…内軸、１３ａ…突部、１３ｂ…雄螺子部、１３ｃ…凹部、
１４…内筒、１４ａ…縦溝、１４ｂ…雄螺子部、
１５…カム体、１５ａ…カム溝、１５ｂ…小径部、１５ｃ…凸部、１５ｄ…折返部、
１６…摺動体、１６ａ…貫通孔、
１７…ピン、１７ａ…カム突起。
【図１】
2020104391.tif 000003
【図２】
2020104391.tif 000004
【図３】
2020104391.tif 000005
【図４】
2020104391.tif 000006
【図５】
2020104391.tif 000007
【図６】
2020104391.tif 000008